(57)【特許請求の範囲】
【請求項１】
上面（６ａ）、下面（６ｂ）、左側面（６ｃ）及び右側面（６ｄ）がそれぞれ略矩形枠状の断面となるように形成されたアルミ合金などの軽金属材からなる略矩形筒状の筐体（５，５２）と、
前記筐体の前側に配置され、上辺（２３ａ）、下辺（２３ｂ）、左側辺（２３ｃ）及び右側辺（２３ｄ）からなる略矩形の枠体（２２）の間に表示シート（２４）が張設された表示部（２１）と、
前記筐体と前記表示部を該表示部が該筐体に対して開閉可能となるように連結するヒンジ部（４１）と、を備えた標識装置（１，５１）であって、
前記ヒンジ部は、
前記筐体の上面の前側端縁部に該筐体の幅方向に沿って設けられ、円弧状内面を有する凹溝（１６）と、
前記表示部の前記枠体の上辺から後側に突出して設けられるとともに該枠体の幅方向に沿って設けられ、円弧状の内面を有し、更に該内面の先端側に鉤部（３４）が設けられた凸片（３３）と、
前記筐体の幅方向に延びた板材からなり、前記凹溝を覆うように該筐体の上面に取り付けられた蓋部（４２）と、を備え、
前記凸片が前記凹溝に円弧方向に摺動可能に嵌入されてヒンジ構造を形成することを特徴とする標識装置。
【請求項２】
前記筐体（５２）の後側に配置され、上辺（２３ａ）、下辺（２３ｂ）、左側辺（２３ｃ）及び右側辺（２３ｄ）からなる略矩形の枠体（２２）の間に表示シート（２４）が張設された他の表示部（６１）と、
前記筐体と前記他の表示部を該表示部が該筐体に対して開閉可能となるように連結する他のヒンジ部（７１）と、を更に備え、
前記他のヒンジ部は、
前記筐体の上面の後側端縁部に該筐体の幅方向に沿って設けられ、円弧状内面を有する凹溝（１６）と、
前記他の表示部の前記枠体の上辺から前側に突出して設けられるとともに該枠体の幅方向に沿って設けられ、円弧状の内面を有し、更に該内面の先端側に鉤部（３４）が設けられた凸片（３３）と、
前記筐体の幅方向に延びた板材からなり、前記凹溝を覆うように該筐体の上面に取り付けられた蓋部（４２）と、を備え、
前記凸片が前記凹溝に円弧方向に摺動可能に嵌入されてヒンジ構造を形成することを特徴とする請求項１記載の標識装置。
【請求項３】
前記蓋部（４２）の下面には下向きに突出した回動規制部（４４）が設けられ、前記凸片（３３）の前記鉤部（３４）が前記蓋部の前記回動規制部に当接することにより前記表示部（２１）又は前記他の表示部（６１）の開放角度を規制することを特徴とする請求項１又は２記載の標識装置。
【請求項４】
前記表示シート（２４）が透光性を有するとともに、
前記筐体（５，５２）内に配設され、前記表示シートの裏側を照射し、該表示シートの表側を発光表示する光源（１０，５３）を備えたことを特徴とする請求項１又は２又は３記載の標識装置。
【発明の詳細な説明】
【技術分野】
【０００１】
本発明は、主に高速道路において、非常電話及び非常口の場所などを表示する誘導標識灯として使用される標識装置に関する。
【背景技術】
【０００２】
周知のとおり、高速道路などにはその先の道路情報などを知らせる道路標識の他、そこから最も近い非常電話や非常口の設置場所などを知らせる誘導標識灯が設置されている。誘導標識灯は様々あり、例えば、略矩形の箱型筐体の正面に透光性を有するパネルに文字や図形が描かれた表示面が設けられ、筐体内にＬＥＤなどの光源が配設され、この光源によって表示面の裏側を照射し、表示面の表側を発光表示させる内照式標識がある。なお、下記特許文献１にはこのような誘導標識灯に使用される内照式標識が開示されている。
【先行技術文献】
【特許文献】
【０００３】
【特許文献１】特開２００７−１９９５１８号公報
【発明の概要】
【発明が解決しようとする課題】
【０００４】
ところで、誘導標識灯は全国に多数設置されているが、それゆえ、従来は誘導標識灯が損傷しても生産が間に合わないなどの理由で早急に交換することができないことがあった。稀ではあるが、設置場所によっては損傷したままの状態で数カ月間放置されることも現状としてある。しかしながら、誘導標識灯の特に表示面が損傷した状態のままこのように交換がなさていなければ、事故が発生したときに利用者が非常電話や非常口などの場所を知ることができない可能性があるため、表示面だけでも一時的に交換するなどの応急処置を行う必要がある。
【０００５】
また、上述した表示面の交換に加えて、従来の誘導標識灯のうち、内照式標識は筐体内の電気的装置のメンテナンスを定期的に行うことが好ましいことから、メンテナンス性の向上の要望がある。
【０００６】
そこで本発明は、上記状況に鑑みてなされたものであり、誘導標識灯において、表示部を簡単に交換可能に構成することと、筐体内のメンテナンス性を向上させることを同時に実現させた標識装置を提供することを目的としている。
【課題を解決するための手段】
【０００７】
次に、上記の課題を解決するための手段を、実施の形態に対応する図面を参照して説明する。
本発明に係る請求項１記載の標識装置は、上面６ａ、下面６ｂ、左側面６ｃ及び右側面６ｄがそれぞれ略矩形枠状の断面となるように形成されたアルミ合金などの軽金属材からなる略矩形筒状の筐体５（５２）と、
前記筐体５（５２）の前側に配置され、上辺２３ａ、下辺２３ｂ、左側辺２３ｃ及び右側辺２３ｄからなる略矩形の枠体２２の間に表示シート２４が張設された表示部２１と、
前記筐体５（５２）と前記表示部２１を該表示部２１が該筐体５（５２）に対して開閉可能となるように連結するヒンジ部４１と、を備えた標識装置１（５１）であって、
前記ヒンジ部４１は、
前記筐体５（５２）の上面６ａの前側端縁部に該筐体５（５２）の幅方向に沿って設けられ、円弧状内面を有する凹溝１６と、
前記表示部２１の前記枠体２２の上辺２３ａから後側に突出して設けられるとともに該枠体２２の幅方向に沿って設けられ、円弧状の内面を有し、更に該内面の先端側に鉤部３４が設けられた凸片３３と、
前記筐体５（５２）の幅方向に延びた板材からなり、前記凹溝１６を覆うように該筐体５（５２）の上面６ａに取り付けられた蓋部４２と、を備え、
前記凸片４２が前記凹溝１６に円弧方向に摺動可能に嵌入されてヒンジ構造を形成することを特徴としている。
【０００８】
請求項２記載の標識装置は、前記筐体５２の後側に配置され、上辺２３ａ、下辺２３ｂ、左側辺２３ｃ及び右側辺２３ｄからなる略矩形の枠体２２の間に表示シート２４が張設された他の表示部６１と、
前記筐体５２と前記他の表示部６１を該表示部６１が該筐体５２に対して開閉可能となるように連結する他のヒンジ部７１と、を更に備え、
前記他のヒンジ部７１は、
前記筐体５２の上面６ａの後側端縁部に該筐体５２の幅方向に沿って設けられ、円弧状内面を有する凹溝１６と、
前記他の表示部６１の前記枠体２２の上辺２３ａから前側に突出して設けられるとともに該枠体２２の幅方向に沿って設けられ、円弧状の内面を有し、更に該内面の先端側に鉤部３４が設けられた凸片３３と、
前記筐体５２の幅方向に延びた板材からなり、前記凹溝１６を覆うように該筐体５２の上面６ａに取り付けられた蓋部４２と、を備え、
前記凸片３３が前記凹溝１６に円弧方向に摺動可能に嵌入されてヒンジ構造を形成することを特徴としている。
【０００９】
請求項３記載の標識装置は、前記蓋部４２の下面には下向きに突出した回動規制部４４が設けられ、前記凸片３３の前記鉤部３４が前記蓋部４４の前記回動規制部に当接することにより前記表示部２１又は前記他の表示部６１の開放角度を規制することを特徴としている。
【００１０】
請求項４記載の標識装置は、前記表示シート２４が透光性を有するとともに、
前記筐体５（５２）内に配設され、前記表示シート２４の裏側を照射し、該表示シート２４の表側を発光表示する光源となるＬＥＤユニット９（５３）を備えたことを特徴としている。
【発明の効果】
【００１１】
本発明に係る請求項１記載の標識装置によれば、ヒンジ構造を形成するヒンジ部の蓋部を取り外せば、表示部は筐体から分離するようになる。これにより、筐体に対して表示面が一体的に設けられたような、分離不可能に設けられた連結部材の場合に手間がかかっていた表示部の交換を簡単に行えるようになる。また同時に、このようなヒンジ部によって表示部は開閉可能になることから、筐体内のメンテナンスを簡単に行えるようになり、メンテナンス性が向上する。
【００１２】
また、筐体の上面、下面、左側面及び右側面がそれぞれ略矩形枠状の断面となるように形成されているため、筐体を中空体としても筐体強度は低下せず、さらに、筐体にアルミ合金などの軽金属材を使用しても筐体強度は低下しない。これにより、筐体強度を低下させずに軽量化を図ることができる。
【００１３】
請求項２記載の標識装置によれば、筐体の後側に他の表示部を備え、更にその表示部を他のヒンジ部によって筐体に開閉可能に連結することから、両面表示の標識においても、表示部の交換が容易になるとともに、メンテナンス性が向上するようになる。
【００１４】
請求項３記載の標識装置によれば、ヒンジ部の回動規制部が凸片を回動規制することで表示部又は他の表示部の開放角度を規制することが可能となり、必要以上に開放することにより生じるヒンジ部の摩耗や疲労などを軽減することができる。
【００１５】
請求項４記載の標識装置によれば、筐体内に光源を備えてこの光源からの照射によって表示面を表示する内照式標識においても、上記請求項１乃至３と同等の効果を得ることができる。
【図面の簡単な説明】
【００１６】
【図１】本発明の実施の形態（第一の実施の形態）を設置した状態を示す斜視図である。
【図２】（ａ）第一の実施の形態を示す正面図である。  （ｂ）同底面図である。  （ｃ）同側面図である。
【図３】図２（ａ）におけるＡ−Ａ線断面図（一部省略）である。
【図４】図２（ａ）におけるＢ−Ｂ線断面図（一部省略）である。
【図５】図４におけるＣ部の拡大図である。
【図６】（ａ）第二の実施の形態を示す正面図である。  （ｂ）同底面図である。  （ｃ）同側面図である。
【図７】図６（ａ）におけるＤ−Ｄ線断面図（一部省略）である。
【図８】図６（ａ）におけるＥ−Ｅ線断面図（一部省略）である。
【図９】図６（ａ）における下部の拡大図（表示面省略）である。
【発明を実施するための形態】
【００１７】
以下、本発明の各実施の形態を図面を参照して具体的に説明する。まず、図１乃至５を参照して第一の実施の形態について説明する。
【００１８】
「第一の実施の形態」
図１に示すように、この実施の形態は、例えば高速道路２脇などに立てられた支柱４に取り付けられて設置され、非常電話や非常口の設置場所などを表示する誘導標識灯として使用される標識装置１である。この標識装置１は片面表示タイプであり、通常は、二つの標識装置１，１が支柱４を間に挟んで背中合わせに配置され、さらに、これらの標識装置１，１は略矩形板状の接続金具４ａによって接続されている。なお、符号３は道路２の側壁である。
【００１９】
図２乃至４に示すように、標識装置１は、筐体５と、表示部２１と、ヒンジ部４１とを備えている。筐体５は、上面６ａ、下面６ｂ、左側面６ｃ及び右側面６ｄがそれぞれ略矩形枠状の断面となるように形成され、全体として扁平な略矩形筒状に形成されている。各面６ａ，６ｂ，６ｃ，６ｄはアルミ合金などの軽金属材により形成されている。
【００２０】
図２（ａ）に示すように、筐体５内には左右に長い略矩形板状の二つの横材７が上下に並んで設けられている。図３に示すように、各横材７の両端部は略直角に屈曲形成されており、それぞれの両端部が筐体５の左側面６ｃ及び右側面６ｄの内面側に固定ピン７ａにより固定されている。また、筐体５内には上下に長い略矩形板状の三つの縦材８が左右に並んで設けられている。図４に示すように、各縦材８の両端部は略直角に屈曲形成されており、それぞれの両端部が筐体５の上面６ａ及び下面６ｂの内面側に固定ピン８ａにより固定されている。さらに、これらの横材７と縦材８は、それぞれの交点にて互いに連結固定されている。
【００２１】
縦材８の面には複数のＬＥＤユニット９が一列に並んで設けられている。ＬＥＤユニット９（厳密にはＬＥＤユニット９内のＬＥＤ素子）は標識装置１の光源となり、さらに、複数のＬＥＤユニット９が並んだ三つの縦材８が横材７と共に一体化されて一つの光源ユニット１０を構成している。
【００２２】
また、筐体５内には、光源ユニット１０の各ＬＥＤユニット９に対するＬＥＤ電源及び非常電源ボックス１１が設置されている。なお、符号１２は端子台、符号１３はＳＣロック１３である。
【００２３】
図４に示すように、筐体５の下面６ｂの外面側には水抜き孔１４が設けられており、この水抜き孔１４から筐体５内に溜まった水などを取り除くことができる。また、図２（ａ）に示すように、筐体５の上面６ａには、標識装置１を設置時に吊り上げるときや設置後に落下を防止するためにワイヤーなどが取り付けられるアイボルト１５が設けられている。
【００２４】
図５に示すように、筐体５の上面６ａの前側端縁部にはこの筐体５の幅方向（図２（ａ）における左右方向）に沿って凹溝１６が設けられている。凹溝１６は、略半円形の断面となるように形成された円弧状の内面を有している。この凹溝１６は、後述するヒンジ部４１を構成するものである。
【００２５】
なお、この実施の形態では、標識装置１は片面表示の誘導標識灯である。したがって、筐体５の後面には後面開口を遮蔽するアルミ合金などの軽金属材により形成された遮蔽板１７が取付ピン１８によって取り付けられている。
【００２６】
図３及び４に示すように、筐体５の前側には表示部２１が配置されている。表示部２１は、上辺２３ａ、下辺２３ｂ、左側辺２３ｃ及び右側辺２３ｄからなる略矩形の枠体２２と、枠体２２の各辺２３ａ，２３ｂ，２３ｃ，２３ｄの間に張設された表示シート２４とを備えている。各辺２３ａ，２３ｂ，２３ｃ，２３ｄは、それぞれが略矩形枠状の断面となるように形成されている。また、各辺２３ａ，２３ｂ，２３ｃ，２３ｄは、アルミ合金などの軽金属材により形成されている。
【００２７】
表示シート２４は、筐体５の前面開口を閉塞するように表示部２１の前側に設けられている。表示シート２４には透光性を有する不燃繊維シートを用いており、その表側には図１に示すような非常電話を表した文字や図形が印刷によって描かれている。表示シート２４は、表示部２１の各辺２３ａ，２３ｂ，２３ｃ，２３ｄの前側端縁部に設けられた引張機構２６により上下左右の端部が引っ張られて平坦面となり、筐体５の前面に表示面を形成している。各辺２３ａ，２３ｂ，２３ｃ，２３ｄの前面には略Ｌ字形の断面を有する略矩形枠状の縁部２５が設けられている。なお、表示シート２４は、この縁部２５と各辺２３ａ，２３ｂ，２３ｃ，２３ｄの前面の間に配置されている。
【００２８】
引張機構２６は、表示シート２４を張設するための支点となる支持部２７と、表示シート２４の端部を固定するための固定部２９とからなる。支持部２７は、各辺２３ａ，２３ｂ，２３ｃ，２３ｄの最前面に設けられており、外側に向けて突出した角（凸部２８）を備えている。凸部２８は、略三角形の断面を有し、各辺２３ａ，２３ｂ，２３ｃ，２３ｄのそれぞれの端縁部に沿ってレール状に延びて設けられている。また、凸部２８は、表示シート２４のそれぞれの引張方向に対して直交する方向に曲面を有する形状に形成されている。
【００２９】
固定部２９は、各辺２３ａ，２３ｂ，２３ｃ，２３ｄの外面側に設けられたねじ孔３０と、ねじ３１と、押圧ブロック３２とからなり、各辺２３ａ，２３ｂ，２３ｃ，２３ｄのそれぞれの端縁部に複数並んで設けられている。表示シート２４は、押圧ブロック３２に押えられ、ねじ３１が押圧ブロック３２を介してねじ孔３０にねじ込まれることにより上下左右に適度に引っ張られた状態で固定されている。
【００３０】
図５に示すように、表示部２１の枠体２２の上辺２３ａにはこの枠体２２の幅方向（図２（ａ）における左右方向）に沿って延びるとともに、上辺２３ａから後側に突出した凸片３３が設けられている。凸片３３は、略半円形の断面となるように形成された円弧状の内面を有している。凸片３３は、上述した凹溝１６に嵌まる程度の径に形成されている。また、凸片３３の先端側にはその内面側に屈曲した鉤部３４が設けられている。この凸片３３は、凹溝１６と共に後述するヒンジ部４１を構成するものである。
【００３１】
前述したヒンジ部４１は、上述した凹溝１６及び凸片３３と、蓋部４２とからなる。蓋部４２は、筐体５の幅方向（図２（ａ）における左右方向）に延びた板材からなり、複数の取付ねじ４３によって凹溝１６を覆うように筐体５の上面６ａの前側端縁部に取り付けられている。また、蓋部４２の下面には下向きに突出して筐体５の幅方向に延びた略矩形板状の回動規制部４４が設けられている。ヒンジ部４１は、筐体５と表示部２１とを連結する連結部材となる。また、ヒンジ部４１は、凸片３３が凹溝１６にその内面の円弧方向に摺動可能に嵌入されることでヒンジ構造を形成しており、表示部２１を筐体５に対して所定の開放角度まで開放可能としている。このとき、回動規制部４４は、凸片３３が当接することで回動規制して表示部２１の開放角度を設定しており、この実施の形態では、表示部２１が４０°程度（厳密には３９°）まで開放可能となるように規制している。
【００３２】
図２（ｂ），（ｃ）に示すように、筐体５の左側面６ｃ及び右側面６ｄ、表示部２１の左側辺２３ｃ及び右側辺２３ｄには所定位置に表示部２１を閉じたときにその閉鎖状態を維持するためのロック機能付きパチン錠４５が設けられている。また、筐体５の下面６ｂには同じく表示部２１の閉鎖状態を維持するための固定ボルト４６が取り付けられている。
【００３３】
なお、標識装置１は、筐体５内の光源ユニット１０により表示シート２４の裏側を照射し、表示シート２４の表側の表示面を発光表示させる内照式標識装置である。また、標識装置１は、筐体５後面の遮蔽板１７に設けられた取付部４７（図４参照）を介して、図示しないバンド金具などで支柱４に固定されている。
【００３４】
第一の実施の形態によれば、ヒンジ部４１の蓋部４２を取り外せば、表示部２１は筐体５から分離するようになる。これにより、表示部２１の交換を簡単に行えるようになる。また同時に、ヒンジ部４１によって表示部２１は開閉可能になることから、筐体５内のメンテナンスを簡単に行えるようになり、メンテナンス性が向上する。
【００３５】
また、筐体５の上面６ａ、下面６ｂ、左側面６ｃ及び右側面６ｄがそれぞれ略矩形枠状の断面となるように形成されているため、筐体５を中空体としても筐体強度は低下せず、さらに、筐体５にアルミ合金などの軽金属材を使用しても筐体強度は低下しない。これにより、筐体強度を低下させずに軽量化を図ることができる。
【００３６】
さらに、ヒンジ部４１の回動規制部４４が凸片３３を回動規制することで表示部２１の開放角度を規制することが可能となり、必要以上に開放することにより生じるヒンジ部４１の摩耗や疲労などを軽減することができる。
【００３７】
次に、図６乃至９を参照して第二の実施の形態について説明する。なお、以下の第二の実施の形態において、上述した第一の実施の形態と同一又は同等の箇所には同一の符号を付し、その説明は省略する。
【００３８】
「第二の実施の形態」
この実施の形態は、両面表示の誘導標識灯に使用される標識装置５１である。図６乃至９に示すように、標識装置５１は、筐体５２と、表示部２１と、他の表示部６１と、ヒンジ部４１と、他のヒンジ部７１とを備えている。筐体５２は、上面６ａ、下面６ｂ、左側面６ｃ及び右側面６ｄがそれぞれ略矩形枠状の断面となるように形成され、全体として扁平な略矩形筒状に形成されている。各面６ａ，６ｂ，６ｃ，６ｄはアルミ合金などの軽金属材により形成されている。
【００３９】
筐体５２内の縦材８の後面側には、上述したＬＥＤユニット９と背中合せとなるように複数のＬＥＤユニット５３が一列に並んで設けられている。ＬＥＤユニット５３（厳密にはＬＥＤユニット５３内のＬＥＤ素子）はＬＥＤユニット９と共に標識装置５１の光源となる。この実施の形態では、上述した第一の実施の形態の光源ユニット１０にこのＬＥＤユニット５３を加えて光源ユニット５４を構成している。
【００４０】
また、筐体５２内には、上述した第一の実施の形態と同様、光源ユニット５４の各ＬＥＤユニット５３に対するＬＥＤ電源及び非常電源ボックス１１や端子台１２などが設置されている。
【００４１】
図８に示すように、筐体５２の上面６ａの後側端縁部にはこの筐体５２の幅方向（図６（ａ）における左右方向）に沿って凹溝１６が設けられている。凹溝１６は、略半円形の断面となるように形成された円弧状の内面を有している。この凹溝１６は、後述する他のヒンジ部７１を構成するものである。
【００４２】
図８に示すように、筐体５２の後側には他の表示部６１が配置されている。表示部６１は、上辺２３ａ、下辺２３ｂ、左側辺２３ｃ及び右側辺２３ｄからなる略矩形の枠体２２と、枠体２２の各辺２３ａ，２３ｂ，２３ｃ，２３ｄの間に張設された表示シート２４とを備えている。
【００４３】
表示シート２４は、筐体５２の後面開口を閉塞するように他の表示部６１の後側に設けられている。表示シート２４は、他の表示部６１の各辺２３ａ，２３ｂ，２３ｃ，２３ｄの後側端縁部に設けられた引張機構２６により上下左右の端部が引っ張られて平坦面となり、筐体５２の後面に表示面を形成している。各辺２３ａ，２３ｂ，２３ｃ，２３ｄの後面には略Ｌ字形の断面を有する略矩形枠状の縁部２５が設けられている。なお、表示シート２４は、この縁部２５と各辺２３ａ，２３ｂ，２３ｃ，２３ｄの後面の間に配置されている。
【００４４】
引張機構２６は、表示シート２４を張設するための支点となる支持部２７と、表示シート２４の端部を固定するための固定部２９とからなる。支持部２７は、各辺２３ａ，２３ｂ，２３ｃ，２３ｄの最後面に設けられている。
【００４５】
図８に示すように、他の表示部６１の枠体２２の上辺２３ａにはこの枠体２２の幅方向（図６（ａ）における左右方向）に沿って延びるとともに、上辺２３ａから前側に突出した凸片３３が設けられている。凸片３３は、凹溝１６と共に後述するヒンジ部７１を構成するものである。
【００４６】
前述した他のヒンジ部７１は、凹溝１６及び凸片３３と、蓋部４２とからなる。蓋部４２は、凹溝１６を覆うように筐体５２の上面６ａの後側端縁部に取り付けられている。また、他のヒンジ部７１は、凸片３３が回動規制部４４に当接することで回動規制して他の表示部６１の開放角度を設定しており、この実施の形態では、表示部２１の場合と同様に他の表示部６１が４０°程度（厳密には３９°）まで開放可能となるように規制している。
【００４７】
なお、第二の実施の形態においても、上述した第一の実施の形態と同様に標識装置５１には筐体５２の下面６ｂの外面側に水抜き孔１４が設けられている。
【００４８】
また、標識装置５１には、筐体５２の左側面６ｃ及び右側面６ｄ、表示部２１の左側辺２３ｃ及び右側辺２３ｄ、他の表示部の左側辺２３ｃ及び右側辺２３ｄの所定位置に表示部２１及び他の表示部６１を閉じたときにその閉鎖状態を維持するためのロック機能付きパチン錠４５が設けられている。
【００４９】
標識装置５１は、筐体５２内の光源ユニット５４によって表示部２１の表示シート２４及び他の表示部６１の表示シート２４のそれぞれの裏側を照射し、表示シート２４，２４のそれぞれの表側の表示面を発光表示させる内照式標識装置である。
【００５０】
図８及び９に示すように、標識装置５１は、筐体５２の下面に設けられたアングルなどの取付部５５を介して所定の取付ベース５６上にボルト５７ａとナット５７ｂにより固定されている。なお、図９における符号５８は、標識装置５１の落下を防止するためのワイヤーである。
【００５１】
第二の実施の形態によれば、上述した第一の実施の形態における表示部２１と同様に、他のヒンジ部７１の蓋部４２を取り外せば、他の表示部６１は筐体５２から分離するようになる。これにより、他の表示部６１の交換を簡単に行えるようになる。また同時に、他のヒンジ部７１によって他の表示部６１は開閉可能になることから、筐体５２内のメンテナンスを簡単に行えるようになり、メンテナンス性が向上する。
【００５２】
また、筐体５２の上面６ａ、下面６ｂ、左側面６ｃ及び右側面６ｄがそれぞれ略矩形枠状の断面となるように形成されているため、筐体５２を中空体としても筐体強度は低下せず、さらに、筐体５２にアルミ合金などの軽金属材を使用しても筐体強度は低下しない。これにより、筐体強度を低下させずに軽量化を図ることができる。
【００５３】
さらに、ヒンジ部４１及び他のヒンジ部６１の各回動規制部４４，４４が各凸片３３，３３を回動規制することで表示部２１及び他の表示部６１の開放角度を規制することが可能となり、必要以上に開放することにより生じるヒンジ部４１及び他のヒンジ部７１の摩耗や疲労などを軽減することができる。
【符号の説明】
【００５４】
１，５１…標識装置、２…道路、３…（道路の）側壁、４…支柱、４ａ…接続金具、５，５２…筐体、６ａ…上面、６ｂ…下面、６ｃ…左側面、６ｄ…右側面、７…横材、７ａ…固定ピン、８…縦材、８ａ…固定ピン、９，５３…（光源としての）ＬＥＤユニット、１０，５４…光源ユニット、１１…ＬＥＤ電源及び非常電源ボックス、１２…端子台、１３…ＳＣロック、１４…水抜き孔、１５…アイボルト、１６…凹溝、１７…遮蔽板、１８…取付ピン、２１…表示部、２２…枠体、２３ａ…上辺、２３ｂ…下辺、２３ｃ…左側辺、２３ｄ…右側辺、２４…表示シート、２５…縁部、２６…引張機構、２７…支持部、２８…凸部、２９…固定部、３０…ねじ孔、３１…ねじ、３２…押圧ブロック、３３…凸片、３４…鉤部、４１…ヒンジ部、４２…蓋部、４３…取付ねじ、４４…回動規制部、４５…ロック機能付きパチン錠、４６…固定ボルト、４７，５５…取付部、５６…取付ベース、５７ａ…ボルト、５７ｂ…ナット、５８…ワイヤー、６１…他の表示部、７１…他のヒンジ部
【図１】
0005596009.tif 000002
【図２】
0005596009.tif 000003
【図３】
0005596009.tif 000004
【図４】
0005596009.tif 000005
【図５】
0005596009.tif 000006
【図６】
0005596009.tif 000007
【図７】
0005596009.tif 000008
【図８】
0005596009.tif 000009
【図９】
0005596009.tif 000010